(57)【要約】【課題】手首部分を支持する枕部に、操作対象となるコンピュータ操作部品を載せる布製シート部を結合し、衛生的で快適操作可能なシート付きリストレストを提供する。【解決手段】椅子に座ったオペレータが机上に置かれたコンピュータ部品を操作するとき、前記オペレータの手首部分を支持して操作を快適化するためのコンピュータ操作用のシート付きリストレストであって、その高さを前記部品の操作面の高さと同じか又はそれより僅かに高い高さとし、その長さを前記部品の前端幅に合わせて作った枕を内蔵する枕部と、前記机上で前記部品の下に敷き込まれる布状シート材から成るシート部とを相互一体的に結合して成ることを特徴とするシート付きリストレスト。【選択図】      図1
2005128948.tif 000002
【特許請求の範囲】
【請求項１】
椅子に座ったオペレータが机上に置かれたコンピュータ部品を操作するとき、前記オペレータの手首部分を支持して操作を快適化するためのコンピュータ操作用のシート付きリストレストであって、
その高さを前記部品の操作面の高さと同じか又はそれより僅かに高い高さとし、その長さを前記部品の前端幅に合わせて作った枕を内蔵する枕部と、前記机上で前記部品の下に敷き込まれる布状シート材から成るシート部とを、相互一体的に結合して成ることを特徴とするシート付きリストレスト。
【請求項２】
前記シート部のシート材を、前記枕部の枕を覆う部分と一体連設して成ることを特徴とする請求項１記載のシート付きリストレスト。
【請求項３】
前記シート材の前方一面には前端部分を底とするポケットが形成され、このポケット内に前記枕を収納するようにしたことを特徴とする請求項２に記載のシート付きリストレスト。
【請求項４】
前記シート材をタオル布地としたことを特徴とする請求項１〜３のいずれかに記載のシート付きリストレスト。
【発明の詳細な説明】
【技術分野】
【０００１】
本発明はコンピュータ操作用補助具としてのリストレスト（wrist rest）に関し、枕状のリストレスト本体に、キーボードやマウス等操作部品を載せるシートを一体的に結合して成るシート付きリストレストに関する。
【背景技術】
【０００２】
従来、キーボードやマウス等コンピュータの操作部品を操作するとき、その補助具としてリストレストが販売されている。これは、アームレストとも呼ばれ、椅子に座ってキーボードやマウスを操作するオペレータの手首を載せ、オペレータの手ないし指の操作を楽にしようというものである。掌部分を載せることもあるためパルム（Palm）レストと呼ばれることも有る。
【０００３】
従来のリストレストの例としては、例えば登録実用新案第3062039号公報（手載せ枕）、実開平04-24124号公報（キーボード操作補助台）、米国特許US6,626,403号公報（WRIST REST ASSEMBLY）に示されるようなものの例がある。
【０００４】
登録実用新案第3062039号公報に示される手載せ枕は、マウスの操作中に、オペレータの手首が受ける不快感を解消し、長時間操作しても腕や肩に疲れが出ることがないようにすることを目的として、マウスの手前に手首を載せる枕を配置するようにしたものである。机上で滑らせることを可能とすべく、緩衝体の底部に滑材が設けられている。
【０００５】
実開平04-24124号公報のキーボード操作補助具は、キーボードの操作性を向上させることを目的として、板状の搭載台上にキーボードを載せ、手前部分にアームレストを配置したものである。搭載部は、アームレストと一体化され、かつ傾斜可能として操作性を向上させる例も示されている。さらに、その角度を調節できる角度調節レバーを設けた例も示されている。
【０００６】
米国特許US6,626,403号公報に示されるリストレストは、上記のリストレストの有用性を認めた上で、これをコンピュータの操作部品に対しキーボードと固定的に一体化して設けたものである。キーボード部品の側面にマウス操作部品を一体化した例も示されている。
【０００７】
このように、従来のリストレストは、長時間同じ姿勢でコンピュータを操作していると血行が悪くなり、肩こりの原因となることから、体格に合わせて机や椅子の高さ調節が必要であり、かつキーボードやマウスの操作に関してはリストレストやアームレストを付属させることが推奨されている。手首は水平姿勢とするのが第１で、さらに、指を手首に対して水平にするのが望ましい。
【０００８】
従来のリストレストは、操作部品に対し分離可能か又は一体的なものである。分離可能なものにあっては、枕部分が小さいだけに不安定で、敢えて滑りを悪くすれば調子がとり難い等の問題があった。
【０００９】
また、操作部品に対し固定的とする場合、完全固定で微調節し難いという問題がある。
【００１０】
これに対し、実開平04-24124号公報の搭載部の例では、台に対し操作部品を移動させることができるが、リストレスト部と台部とを結合体した大きな物体となるので、リストレストの効果を凌いで邪魔物となる感じすら否めず、商品性に欠けるという問題点があった。
【００１１】
さらに、従来のリストレストは、オペレータの手首を支持し、操作を楽にすることばかりに目を向けているため、総合的な使い勝手の良さに欠けている。例えば、手首を載せるリストレストは、手首の汗ばみに対応できなかったり、オペレータが変更の場合に、次のオペレータに不快感を与えたりすることもある。また、不要のときに簡単に取り外せることも必要である。さらに、オペレータによっては、自分用のものとして携帯可能にしておきたいという希望もある。
【特許文献１】登録実用新案第3062039号公報、第１頁、図１
【特許文献２】実開平04-24124号公報、第１頁、図１
【特許文献３】米国特許US6,626,403号公報、第１頁、図１
【発明の開示】
【発明が解決しようとする課題】
【００１２】
本発明は、上記従来技術に鑑みて、シンプルで使い勝手が良く、機種を選ばず適用でき、机上での位置調節が自在で、かつ机部分と操作部分との間の間隔調節も自在で、さらにシート部分は洗濯可能であり、オペレータ専用のものとして持ち運びまでできる実用価値が高いコンピュータ操作用のシート付きリストレストを提供することを目的とする。
【課題を解決するための手段】
【００１３】
上記課題を解決することができる本発明のシート付きリストレストは、椅子に座ったオペレータが机上に置かれたコンピュータ部品デバイスを操作するとき、前記オペレータの手首部分（掌を含む）を支持して操作を快適化するためのコンピュータ操作用のシート付きリストレストであって、
その高さを前記部品の操作面の高さと同じか又はそれより僅かに高い高さとし、その長さを前記部品の前端幅に合わせて作った枕を内蔵する枕部と、前記机上で前記部品の下に敷き込まれる布状シート材から成るシート部とを相互一体的に結合して成ることを特徴とする。
【００１４】
布状とは、タオルや皮、その他樹脂製布地のように、しなやかに床面にフィットできると共に、折り曲げ、又は巻き取りまでが可能であり、その上に物を置いたとき、その物とフィットして、床面と物との間を優しく取り持つことができる形態のものをいう。
【００１５】
前記シート材の前方一面には、前端部分を底とするポケットを形成し、このポケット内に前記枕を収納すること等により、前記シート部のシート材と、前記枕部の枕を覆う部分は同一シート材で構成することができる。これにより、構成を極めてシンプルとすることができる。また、汗ばみを吸収した枕を覆っている部分と、机上の汚れを吸収したシート部を同時に洗濯できるので、常時清潔を保つことができる。
【００１６】
ポケットの作り方は、シート端部を折り曲げて裏又は表面に一つのポケットを設ける他、シートの一面に開放部分を２重構造としたようなもの、或いは、その中間をファスナーを用いて開放可能としたようなものを含む。
【００１７】
前記シート部は、主には天然繊維又は化学繊維で作った各種布で構成することができる。汗や汚れを良く取り、洗濯可能とすることから、これはタオル布地とするのが最適である。
【００１８】
シート部と枕部の結合に関しては、マジックテープ（登録商標）やファスナー、その他フック等の金具類を用いる等、各種の接続方式が考えられるが、一枚のシート材の前方一面にポケットを設け、このポケット内に枕を収納するようにし、特別の接続は行わないのが最良である。このようにすれば、ポケット内に枕を入れるのみで両者の一体化を図ることができ、シンプルで製造し易く、また取り外して洗濯し易く、使い勝手が良く、常に清潔を保つことができる。
【００１９】
本発明のシート付きリストレストの使用方法を示すと、まず一体化されたシート部と枕部を机上にシートを広げてその上にキーボード又はマウス等操作部品を載せる。しかる後、オペレータの好みに応じて位置を決め、枕部と操作部品の間隔を微調整できる。マウスの場合には、マウス操作用のパッドを載せ、マウスを持った手の手首部分や掌を枕部の上に載せれば良い。
【００２０】
操作は普通通りに行える。枕を覆ったシート部分が肌に触れるので、夏は汗を吸収でき、冬は暖かく、一年を通じて快適に作業できる。ポケット内には、芳香剤や活性炭、或いは発熱シートを入れることも可能である。単独の枕部のみの商品と異なり、シートが連結されているので、枕部を手元に引き、机上端部までもってくることもできる。このように、机上位置での自由度が極めて高く使い勝手が良い。
【００２１】
シートが汚れたときは、枕を外し、洗濯することができる。また、コンピュータ変更のとき等、必要に応じては、枕部をシートでくるみ、筒状にして持ち運びできる。
【発明の効果】
【００２２】
本発明は、リストレストの本体となる枕部を操作部品の下敷きとなるシート部の端部に結合して成るシート付きリストレストであるので、各機種の操作部品と適合でき、シンプルで取扱い性が良い。枕をシート部から容易に取り外すことができるため、好みの高さの枕に置き換えることもできる。シート部は、机上で任意の移動が可能であり、かつその上の操作部品の微調節移動が可能である。単独枕のような不安定さがなく、操作部品とよくフィットする。
【００２３】
また、本シート付きリストレストは、机上に対し着脱可能であり、持ち運び時には、シート部分を枕部に丸めてコンパクト化できる。さらに、枕をシート部から外した状態で丸洗い可能であり、常時清潔を保つことができる。オペレータ個人の専用具とすることもでき、この上なく使い勝手が良い。
【００２４】
シート部材は、吸水性、微粉の吸塵性を有するので、机上の埃まで吸収することができ、操作部品の衛生を保つことができる。また机と操作部品間のインシュレータともなるので、音、振動を吸収し、人と機械部品の両者に優しいインターフェイスとなる。
【発明を実施するための最良の形態】
【００２５】
以下、添付図面を参照して本発明を実施するための最適の形態を説明する。図１は、本発明のシート付きリストレストの外観構成を示す斜視図である。図２は、図１に示すシート付きリストレストの平面図、図３は図２のＦ３−Ｆ３線に沿って示す右側面断面図である。
【００２６】
図１に示すように、机１のテーブル２上には、コンピュータのモニタ３が前向き姿勢で配置されている。テーブル２の前方（図２において手前側）には、オペレータが着席する椅子（図示せず）が配置され、それに図示しないオペレータが着席し、前方に手を伸ばし、キーボード４を操作するようになっている。図１には、オペレータの右手５Ｒ及び左手５Ｌを示す。またシート付きリストレスト６の上にキーボード４を置き、キーボードを操作するときの使用状況で示している。
【００２７】
本発明のシート付きリストレスト６は、その詳細を図２及び図３に示すように、シート材７と枕８を有し、シート材７の手前側に枕８を内蔵した形としている。
【００２８】
具体的には、シート材７は、パイル糸を備えたタオル布地で作成され、一枚のタオル布地の手前側を裏面に回して枕８を収納可能なポケット９を形成し、そのポケット９の中に枕８を収納している。この状態は、いわばカンガルーのポケットのようであり、このポケット９の中に枕８を出し入れ自在に収納可能としている。これにより、シート材７は、キーボード４を載置できるシート部７aと枕８を収納した枕部７bを連結した形となる。
【００２９】
本発明のリストレスト６は、図２及び図３に示す構成であるので、一枚のシート材７と枕８のみから成り、極めてシンプルで、容易に製作可能である。製作は、キーボード４の幅より僅かに長めで、キーボード４の高さと同じかそれより僅かに高い高さの枕８を作り、これを一枚物のシート材（タオル布地）７で作ったポケット９の中に入れることで全体を作ることができる。
【００３０】
枕８の中味の材質は、ある程度の柔軟性を有するものであれば、パルプ、ビーズ、スポンジ、麦藁、稲藁、綿、ソバガラ、その他何であっても良い。ただし、余りに柔らかくしすぎると操作中に沈み、高さが保てなくなるので、手首を載せたとき、10〜20％沈む程度が好ましい。また手首を動かしたときの復元性において、就寝時に使用する通常の枕と類似の物が好ましい。
【００３１】
また、シート材７の材質は、タオル布地に限定されないが、吸汗性、手触りの良さ、そして洗濯性等の観点から、タオル布地を用いるのが最も適切である。
【００３２】
再度図１において、以上の構成のシート付きリストレスト６は、テーブル２上に枕８を手前側として敷設し、その上にキーボード４を載せる。そのとき、シート部７aは、枕部７bと共にテーブル上で任意の位置へ滑動させることができる。枕部７bをモニタ３方向に向けて押せば、全体がモニタ３方向へ向けて移動する。また、キーボード４をシート部７a上で移動させ、微調節することができる。手首を枕部７aへ載せ、右手５Ｒ及び左手５Ｌの人差し指を使ってキーボード４を調節移動させることができる。シート部７aをキーボード４で抑え込んでいるので、枕部７bは、テーブル２の端２aより、多少食み出すようにして使うこともできる。枕部７b単独では、これもできない。また、キーボード４の手前にスペースを取り、そこで文字を手書きする等他の作業をしたい場合には、キーボード４の手前の枕部７bが邪魔になると思われるが、このような場合にはシート７に対し枕部７bを折り曲げてキーボード４上へ載せることができる。これにより、シート付きリストレスト６の占有面積を小さくし、テーブル２上を通常通り広く使用することができる。
【００３３】
テーブル２上でシート付きリストレスト６及びキーボード４の位置調節をした上で、オペレータは、手５Ｒ、５Ｌの手首の手首を枕部７bの上に載せ、図３に示したノーマル姿勢にてキー操作をすることができる。手を水平とし、指を下に向けて操作できるので、指、手、肩に力が掛からず、長時間の操作であっても快適に作業を続けることができる。操作中、姿勢を変えたり、机上の配置を少し変えたい時など希望があれば、シート材７をモニタ３側に移動させること等もできる。
【００３４】
枕８の表面は、シート材７で覆われているので、汗が吸収され、夏場であっても快適に作業できる。また室温が低い冬場であってもタオル布地は保温性を有し暖かいので、快適に作業９の中には発熱できる。
【００３５】
図４（a）（b）に示すように、ポケットシート１０やポプリやにおい玉のような芳香剤１１等を入れることができる。また、ポケット９の開口部を上向けて配置しておけば、シャープペンシルやボールペンを収納することもできる。発熱シート１０としては、厚み数mmのものが市販されており、これを枕８の上に載置しておくことにより、冬場において手先の冷たさを感じることなく、快適な作業をすることができる。またポケット９内への芳香剤１１の配置により、快適環境で作業できる。オペレータの好みに応じ芳香剤の他、活性炭を入れることなども行える。
【００３６】
図４（c）は、枕部７bの回りにシート部７aを巻きつけた例を示す。このように全体を丸めれば、不要のときに収納容易であり、また持ち運び便利である。持ち運びの例としては、例えば購入時、引越しのとき、職場で使用していて家で洗濯したいとき、あるいは場所の異なる所での操作作業に持ち歩く等の例がある。オペレータは個人の持ち物として持ち歩くことができる。
【００３７】
汚れた場合には、枕８を外してシート材７を何回でも任意に洗濯でき、常に清潔を保つことができる。構成をシンプルとしているので、これら作業も極めて容易に行える。
【００３８】
硬いテーブルと硬いキーボード等の樹脂製品との間を柔らかく吸塵性の高いタオル布地でインシュレートするので、相互の歪を取り、フィットさせることができる。また、布製シート７は、消音、吸湿、吸塵作用を有し、人と機械に優しいインターフェイスとすることができ、オペレータのみならず機械の清潔までを保つことができる。
【００３９】
以上示した実施形態では、シート部７aと枕部7bの連結方式をシート材の一端にポケット９を設けた例で示したが、両者の間にファスナーを介在させ、相互に連結させることもできる。シート材７の一端にマジックテープ（登録商標）を介在させ、枕部７bをこれに接合すること等もできる。また、ポケット９の口の部分にゴムを付け、枕８の安定性を良くすることもできる。さらに、ポケット９は、その開口方向をシート材７の広がり面に向けた例で示したが、側面方向に開口させることもできる。シート材７の広がり方向へ向ける場合も、開口部を裏面へもってくる場合の他、表面へ配置することもできる。さらにポケットは２重合わせにして構造することもできる。開口方向を側面方向とする場合、柔らかい枕８の出し入れが困難とならぬよう、充分な広さとするか、或いは、ファスナー等を用いて枕出し入れ部を開口する等とする。
【００４０】
ポケット９とは別個に、シート部７aの上で手の邪魔にならないところに、小さな第２のポケットを設け、ここにシャープペンシルやボールペン等こまめに必要となるものを入れ、小物入れとして利用することもできる。
【００４１】
図５及び図６は、本発明のシート付きリストレストをマウス部品に適用した例を示す斜視図である。このシート付きリストレスト１２には、図１〜図４に示したものに対し、寸法が異なるのみである。図１〜図４に示したものと同一機能を果す部材には同一の参照符号を付けて示してある。
【００４２】
シート付きリストレスト１２は、シート部７aの寸法をマウスパッド１３の寸法に合わせ、それより僅かに広い寸法としている。シート部７aの手前には、マウスパッド１３の幅より僅かに広い長さの枕８が収納されている。マウスパッド１３の上には、マウス１４が配置され、その上でマウス操作できる。
【００４３】
以上の構成において、本発明のシート付きリストレスト１２は、その上にマウスパッド１３を載せることにより、テーブル２上で枕部７bの上に手５Ｒの手首部分を載せ、マウス１４を楽に操作することができる。
【００４４】
シート付きリストレスト１２は、テーブル２上で自由に滑動できる。このとき、マウス１４には電線１５が付属され、この電線１５は机１の端部から引出されていることが多いので、電線１５が短くなり、シート付きリストレスト１２をオペレータの近くに引き寄せると、マウス１４がマウスパッド１３からずり落ちてしまうことが有る。そこで、本例では、シート付きリストレスト１２の移動に伴ってマウス１４がマウスパッド１３から外れ落ちないようにするため、紐付きクリップ１６を設けている。紐付きクリップ１６は、長さ10〜20cmの紐の両端に布やコードを挟み込むことができる小さなクリップ１７、１８を設けたもので、各クリップ１７、１８で、シート部７aの一部と、通常使用状態における位置での電線１５の一部を夫々挟み込み、固定している。
【００４５】
これにより、シート材７を手前に引き寄せたとき、電線１５を共に引き寄せることができ、マウス１４がマウスパッド１３から外れることがない。これにより、シート付きリストレスト１２の自由な移動が可能となる。
【００４６】
紐付きクリップ１６の電線側のクリップ１８は、携帯電話のストラップに用いられているような２重紐とすることもできる。即ち、２重紐を電線１５に掛けて他方のクリップ１７を通して引き縛り、２重紐で電線１５を固定することもできる。
【００４７】
さらに図５には、電線１５の机１上での端部を机１の一位置で固定できる吸盤１９を設けている。吸盤１９の頭部には、電線１５を挟み込み、摩擦力で固定するゴム製双頭突起が設けられており、この双頭突起の間に電線１５を押し込むことにより、電線１５の任意の位置を机１のテーブル２上で任意に固定できる。吸盤１９を用いてシート付きリストレスト１２を手前に引いた位置で電線１５を固定しておけば、シート付きリストレスト１２の移動に伴って、吸盤１９の位置までの電線１５が適宜曲がるので、マウス操作、あるいはシート付きリストレスト１２の移動操作に伴って、電線１５に関する障害が発生せず、快適な作業を行うことができる。マウス１４が、無線式のものである場合には、これら付属品１６、１９は勿論不要である。
【００４８】
本発明は、上記実施形態に限定されず、本発明の要旨を逸脱しない範囲で適宜変形して実施することができ、各種態様で実施できる。
【図面の簡単な説明】
【００４９】
【図１】本発明のシート付きリストレストの外観構成を示す斜視図である。
【図２】図１に示すシート付きリストレストの平面図で、図１のものに対し少し拡大して示している。
【図３】図２のＦ３−Ｆ３線に沿って示す右側面断面図である。
【図４】本発明のリストレストの使用状況を示す断面図であり、（a）図は枕部に発熱シートを入れた状態を、（b）図はシート部の袋内に芳香剤を入れた状態を、（c）図は、シート部を枕部の回りに丸めて持ち運びし易い状態とした状況を示す。
【図５】本発明のシート付きリストレストをマウス部品に適用した状況を示す斜視図である。
【図６】図５に示すリストレストに手を添えてマウス操作をしている状態を示す右側面図である。
【符号の説明】
【００５０】
１  机
２  テーブル
３  モニタ
４  キーボード
５Ｒ  右手
５Ｌ  左手
６、１２  シート付きリストレスト
７  シート材
７a  シート部
７b  枕部
８  枕
９  ポケット
９a  ポケットの入口
１０  発熱シート
１１  芳香剤
１３  マウスパッド
１４  マウス
１５  電線
１６  紐付きクリップ
１７、１８  クリップ
１９  吸盤
【図１】
2005128948.tif 000003
【図２】
2005128948.tif 000004
【図３】
2005128948.tif 000005
【図４】
2005128948.tif 000006
【図５】
2005128948.tif 000007
【図６】
2005128948.tif 000008